(57)【要約】【課題】ネジを手で締めたり緩めたりすることなく、リストレスト本体を手術中は頭部上方に安定した状態で張り出すと共に、手術後は邪魔にならない患者の側方へ退避させることができ、操作中の顔面への落屑を防いで安全性の高い眼科手術台用リストレストを提供すること。【解決手段】手術台１の枕部４の側方に支持柱２を立設すると共に、支持柱２の上部に側方へ延びる受け台１２を形成し、受け台１２の外端にリストレスト本体３の一端部を、手術台１の長手方向と平行な支軸１４を介して回動自在に取り付ける。【選択図】      図１
2004223074.tif 000002
【特許請求の範囲】
【請求項１】
手術台の枕部の側方に支持柱を立設すると共に、該支持柱の上部に側方へ延びる受け台を形成し、該受け台の外端にリストレスト本体の一端部を、前記手術台の長手方向と平行な支軸を介して回動自在に取り付けたことを特徴とする眼科手術台用リストレスト。
【請求項２】
前記支持柱を長さ調節可能とした請求項１に記載の眼科手術台用リストレスト。
【発明の詳細な説明】
【０００１】
【発明の属する技術分野】
本発明は、眼科手術台用リストレストに関する。
【０００２】
【従来の技術】
眼科手術は、執刀医とアシスタント医により顕微鏡を用いて行われる。顕微鏡を用いたマイクロサージャリーは、ミクロ単位の非常に微細な手術であり、患者は、箱枕等によって顕微鏡の光軸に合わせて、真上を向いた手術体位を取らされて頭部を動かすことができず、執刀医も長時間の手術中に誤って腕がぶれないようにしなければならない。このため、一般的な眼科手術台の枕部上方には、手術医の腕を支えて安定させるためのリストレストが設置されている。
ところが、このリストレストは患者の顔面上方に張り出しているため、術前の消毒や麻酔、或いは、術後処理を行う際に邪魔になる。
【０００３】
そこで、従来は、手術台の枕部前方に支持柱を立設し、支持柱の上端にリストレストの中間部を回動自在に取り付け、手術中はリストレストを被術者の顔面上方に張り出して高さを決めてネジで固定し、手術が終了したら、リストレストを患者の頭頂側へ回動させて下方へ倒し、ネジを緩めて取り外せるようにしたものが知られている。
また、手術台の枕部両側にそれぞれ支持柱の下端部をネジ止めし、支持柱の上端にリストレストの両端を固定した手術装置も知られている。
なお、上記従来の手術装置を記載した文献は発見できなかった。
【０００４】
【発明が解決しようとする課題】
しかし、前者のようにリストレストを手術台の長手方向と平行に回動させると、操作者の腕が消毒済みの患者の顔面上方を通過し、落屑で患部を再汚染する虞がある。
また、いずれのものも構造が複雑で、張り出したり退避させたりする作業が面倒であるばかりか、操作に時間がかかって、手術が終了した後に直ちに他の処置を行うことができなかった。
この発明は、リストレストを手術中は枕部上方に安定した状態で張り出すと共に、手術後は邪魔にならない患者の側方に退避させることができ、操作中の顔面への落屑が防止されて安全性の高い眼科手術台用リストレストを提供することを課題とする。
【０００５】
【課題を解決するための手段】
本発明の眼科手術台用リストレストは、手術台の枕部の側方に支持柱を立設すると共に、該支持柱の上部に側方へ延びる受け台を形成し、該受け台の外端にリストレスト本体の一端部を、前記手術台の長手方向と平行な支軸を介して回動自在に取り付けてある。
【０００６】
手術中は、リストレスト本体を手術台の枕部上方へ張り出して、ネジ止めせずに受け台の上に載せ、手術後は単に外側方へ回動させて手術台の枕部側方において下方に倒す。
リストレスト本体は、側方に延びる受け台に安定した状態で支持され、不意にぶれたり移動することがない。
リストレスト本体を手術し易い高さに調節でき、しかも、執刀医の邪魔にならない長さとなるように、支持柱を長さ調節可能としても良い。
【０００７】
【発明の実施の形態】
以下、本発明の実施形態を図面に基づいて詳細に説明する。
図３に示すように、本発明の眼科手術台用リストレストは、手術台１の枕部側方に立設された支持柱２と、支持柱２の上部に回動可能に取り付けられたリストレスト本体３とを備える。
手術台１の形式は特に限定されないが、図３に示すものは、枕部４と、上半身支持部５と、臀部支持部６と、脚部支持部７とが互いに回動可能に配置され、必要に応じて、枕部４、上半身支持部５、臀部支持部６及び脚部支持部７を平坦に並べてベッド状にしたり、椅子状に屈曲させることができる。
また、枕部４の上面は、上面が深くＵ字状にくびれているため、箱枕等が無くても、被術者の頭部が安定して動かないようになっている（図１及び図２）。
【０００８】
図１及び図２に示すように、枕部４の下面を支持する枠材８は、枕部４の側方へ突出しており、この突出部分の上面に支持柱２を立設する。
支持柱２は、下端が枠材８に固定された外パイプ９と、外パイプ９の上面から摺動自在に挿入された内桿１０とから成る。
また、外パイプ９の上部には周壁を貫通するようネジ孔が形成され、このネジ孔に、その外面から内周面に向けて、内桿１０を固定するためのネジ１１がねじ込まれている。
【０００９】
従って、ネジ１１を緩めて内桿１０を外パイプ９に対して摺動させてから、ネジ１１を締めて内桿１０を固定することによって、支持柱２の長さを適宜調節することができる。即ち、内桿１０は、外パイプ９の上方に突き出し、執刀医のさまざまな要求に応えるべく、スライドして十分な長さ調節を行うことができ、しかも、執刀医の邪魔にならない長さとする。
支持柱２の上端（内桿１０の上端）は外方へ屈曲されて、枠材８と平行に外側方へ延びる受け台１２が形成される。受け台１２の上面は平坦に形成され、受け台１２の上面外端には手術台１の長手方向と平行な支軸挿通筒１３が一体に形成される。
【００１０】
リストレスト本体３は、腕を載せて体重を加えても変形しない強度を有し、手術台１の脚部側に開口する略Ｕ字形に形成される。
また、リストレスト本体３の一端部には、支軸挿通筒１３の両端面を挟んで配置される一対の突片１５が形成され、支軸挿通筒１３及び突片１５に支軸１４が挿通される。
これにより、リストレスト本体３の一端部は、受け台１２の外端に、手術台１の長手方向と平行な支軸１４を中心として回動可能に取り付けられる。
【００１１】
リストレスト本体３の両端間には、覆布が被術者の顔面に触れないように支える離被架１６が架設される。
離被架１６は、図４に示すように、棒材をＵ字形に湾曲させると共に、その両端に脚１７を形成し、両側の脚１７の先端に円環１８を装着して成る。また、円環１８を貫通するネジ孔に、外面から内周に向けて止めネジ１９を螺合してある。
そして、円環１８をリストレスト本体３の両端に外嵌し、止めネジ１９を締め付けて、離被架１６をリストレスト本体３の両端間に、手術台１の脚部側上方に向かって張り出すよう取り付ける。
なお、止めネジ１９を緩めることによって、離被架１６は簡単に取り外すことができる。
【００１２】
手術台１に横たわった被術者に眼科手術を行う際には、眼の消毒や麻酔が終了した後、リストレスト本体３を内方に回動させて支持柱２の上部に形成された受け台１２へ載せる。すると、リストレスト本体３は、被術者の顔面上方に張り出して顔面を囲んだ状態で、安定して支持される。
手術が終了したら、リストレスト本体３を外側方へ回動させる。すると、リストレスト本体３は２７０度回転して下方に吊り下げられ、被術者の目に薬をさしたり、ガーゼを当てたりする処置を施すのに邪魔にならない。
なお、支持柱２の高さ調節機構、リストレスト本体３の形状等は、上記実施形態のものに限定されず、同様の機能を発揮することができる範囲内で適宜変更しても良い。
【００１３】
【発明の効果】
請求項１に係る発明によれば、たんに側方へ回動させるだけで、リストレスト本体を被術者の顔面上方へ張り出した位置と、手術後の処置の邪魔にならない位置とに移動させることができるので、操作が簡単であって、操作中の落屑の心配もなく、被術者の頭部に近い位置で手術後直ちに必要な処置を行うことが可能となる。
また、リストレスト本体は、受け台によって安定して支持されるので、手術中にぶれて施術ミスを引き起こす心配がない。
請求項２に係る発明によれば、支持柱の長さを変えることによって、リストレスト本体を手術しやすい高さに調節することができる。
【図面の簡単な説明】
【図１】リストレスト本体を張り出した状態における眼科手術台用リストレストの要部斜視図。
【図２】リストレスト本体を倒した状態における眼科手術台用リストレストの要部斜視図。
【図３】眼科手術台の全体斜視図。
【図４】離被架の斜視図。
【符号の説明】
１  手術台
２  支持柱
３  リストレスト本体
４  枕部
５  上半身支持部
６  臀部支持部
７  脚部支持部
８  枠材
９  外パイプ
１０  内桿
１１  ネジ
１２  受け台
１３  支軸挿通筒
１４  支軸
１５  突片
１６  離被架
１７  脚
１８  円環
１９  止めネジ
【図１】
2004223074.tif 000003
【図２】
2004223074.tif 000004
【図３】
2004223074.tif 000005
【図４】
2004223074.tif 000006